(57)【要約】【課題】  開口部が閉められた状態で施錠されたことを確認する。【解決手段】  窓部材１，２によって開口部が閉められた状態にて、クレセント錠１０を構成するハンドル部１１及び係合片１２が回転して係合部１２とフック部１４とが係合した場合にハンドル部１１に対向する領域にＲＦ−ＩＤラベル３０を貼付しておき、ハンドル部１１に内蔵されたアンテナ２１を介してＲＦ−ＩＤラベル３０から情報を読み出し、窓部材１，２の施錠を確認する。【選択図】図１
2006077500.tif 000002
【特許請求の範囲】
【請求項１】
第１の部材と第２の部材との相対位置を変位させることにより開口部を開閉可能とした開閉建具を施錠する施錠装置であって、
前記第１の部材に取り付けられ、施錠操作時に前記第２の部材側に一部が突出する第１の係合手段と、
前記第２の部材に取り付けられ、前記開口部が閉められた状態で前記施錠操作が行われた場合に、前記第１の係合手段と係合する第２の係合手段と、
前記第２の部材に取り付けられ、非接触状態にて情報の読み出しが可能なＲＦ−ＩＤメディアとを有し、
前記第１の係合手段は、
前記ＲＦ−ＩＤメディアと対向した場合に、該ＲＦ−ＩＤメディアから情報を読み出すための読出手段と、
前記読出手段にて前記ＲＦ−ＩＤメディアから情報が読み出され、かつ、前記第１の係合手段と前記第２の係合手段とが係合した場合に、前記開閉建具が施錠されたことを判断する判断手段とを有する施錠装置。
【請求項２】
請求項１に記載の施錠装置において、
前記ＲＦ−ＩＤメディアは、前記第１の係合手段と前記第２の係合手段とが係合した状態にて前記読出手段によって情報が読み出し可能な領域に設けられていることを特徴とする施錠装置。
【請求項３】
請求項１または請求項２に記載の施錠装置を用いた施錠管理システムであって、
前記施錠装置は、前記読出手段にて前記ＲＦ−ＩＤメディアから読み出された情報及び前記第１の係合手段と前記第２の係合手段とが係合した旨をネットワークに送信する送信手段を有し、
前記ネットワークを介して前記施錠装置と接続され、前記送信手段から送信されてきた情報に基づいて前記施錠装置による前記開閉建具の施錠を管理する管理手段を有する施錠管理システム。
【発明の詳細な説明】
【技術分野】
【０００１】
本発明は、窓や扉等の開閉自在な開閉建具を施錠する施錠装置及びこれを用いた施錠管理システムに関する。
【背景技術】
【０００２】
一般的に、窓や扉等の開閉建具においては、セキュリティ上の観点から施錠可能に構成されたものが多く、そのための施錠装置の１つとして、ハンドル部とともに回転する半円弧状の係合片をフック部に係合させることにより窓の施錠を行うクレセント錠が用いられている。
【０００３】
図９は、一般的なクレセント錠の構成を説明するための外観斜視図である。
【０００４】
一般的なクレセント錠は図９に示すように、建造物の開口部に設けられ、この開口部内にて開閉自在に移動する２つの窓部材５０１，５０２のうち、施錠操作側となる窓部材５０１に取り付けられた固定部５１３と、この固定部５１３によって窓５０１に回転可能に取り付けられたハンドル部５１１及び半円弧状の係合片５１２と、他方の窓部材５０２の、窓部材５０１，５０２によって開口部が閉められた場合に係合片５１２と対向する領域に取り付けられたフック部５１４とから構成されている。
【０００５】
このように構成されたクレセント錠においては、窓部材５０１，５０２によって開口部が閉められた際に、ハンドル部５１１によって係合片５１２を回転させると係合片５１２がフック部５１４に係合し、それにより、窓部材５０１，５０２の施錠を行うことができる。
【０００６】
ここで、上述したようなクレセント錠においては、施錠状態の確認を容易にするために、ハンドル部の表裏に異なる色のシールを貼付しておき、それにより、離れた場所にて施錠状態を確認することができるようにしたものや（例えば、特許文献１参照。）、ハンドル部が、施錠される方向に回転した場合に音を発する構成としたものが考えられている（例えば、特許文献２参照。）。
【特許文献１】特開２００４−２１１４１８号公報
【特許文献２】特開２００１−９８８２４号公報
【発明の開示】
【発明が解決しようとする課題】
【０００７】
しかしながら、上述したようにクレセント錠のハンドル部の表裏に異なる色のシールが貼付されたものや、ハンドル部が施錠方向に回転した場合に音を発するものにおいては、クレセント錠による施錠状態を容易に確認することができるものの、それは、あくまでも窓部材によって開口部が完全に閉められた状態でクレセント錠が操作された場合に限られるものであって、開口部が完全に閉められていない状態でクレセント錠が操作された場合、クレセント錠による施錠が行われていないにも関わらず、施錠状態であると誤認識されてしまう虞れがある。
【０００８】
図１０は、図９に示したクレセント錠を用いた施錠状態を示す図であり、（ａ）は窓部材５０１，５０２によって開口部が完全に閉められた状態でクレセント錠が操作された状態を示す図、（ｂ）は窓部材５０１，５０２によって開口部が完全に閉められていない状態でクレセント錠が操作された状態を示す図である。
【０００９】
窓部材５０１，５０２によって開口部が完全に閉められた状態でクレセント錠が操作されてハンドル部５１１が施錠方向に回転すると、図１０（ａ）に示すように、ハンドル部５１１とともに回転した係合片５１２がフック部５１４に係合し、それにより、窓部材５０１，５０２が施錠状態となる。
【００１０】
ところが、窓部材５０１，５０２によって開口部が完全に閉められていない状態でクレセント錠が操作されてハンドル部５１１が施錠方向に回転すると、図１０（ｂ）に示すように、ハンドル部５１１とともに回転した係合片５１２が窓部材５０２側に突出するもののフック部５１４とは係合せず、この状態では、窓部材５０１，５０２は移動可能となっており、施錠されていない状態となってしまう。
【００１１】
このように、窓部材５０１，５０２によって開口部が完全に閉められていない状態でクレセント錠が操作された場合、クレセント錠による施錠が行われていないにも関わらず、ハンドル部５１１が施錠状態の位置にあるため、施錠状態であると誤認識されてしまうことになる。
【００１２】
上述したような問題点はクレセント錠に限らず、例えば、扉にスライド可能に取り付けられた棒状部材と、扉を開閉可能に固定する扉枠のうち、扉が閉められた場合に棒状部材がスライドする方向に取り付けられ、扉施錠時に棒状部材が挿入される被挿入部材とからなる施錠装置についても、扉が完全に閉められていない状態で棒状部材が被挿入部材への挿入方向に操作された場合、扉の施錠が行われていないにも関わらず、棒状部材が施錠位置にあるため、施錠状態であると誤認識されてしまう。
【００１３】
本発明は、上述したような従来の技術が有する問題点に鑑みてなされたものであって、開口部が閉められた状態で施錠されたことを確認することができる施錠装置及びこれを用いた施錠管理システムを提供することを目的とする。
【課題を解決するための手段】
【００１４】
上記目的を達成するために本発明は、
第１の部材と第２の部材との相対位置を変位させることにより開口部を開閉可能とした開閉建具を施錠する施錠装置であって、
前記第１の部材に取り付けられ、施錠操作時に前記第２の部材側に一部が突出する第１の係合手段と、
前記第２の部材に取り付けられ、前記開口部が閉められた状態で前記施錠操作が行われた場合に、前記第１の係合手段と係合する第２の係合手段と、
前記第２の部材に取り付けられ、非接触状態にて情報の読み出しが可能なＲＦ−ＩＤメディアとを有し、
前記第１の係合手段は、
前記ＲＦ−ＩＤメディアに対向した場合に、該ＲＦ−ＩＤメディアから情報を読み出すための読出手段と、
前記読出手段にて前記ＲＦ−ＩＤメディアから情報が読み出され、かつ、前記第１の係合手段と前記第２の係合手段とが係合した場合に、前記開閉建具が施錠されたことを判断する判断手段とを有する。
【００１５】
また、前記ＲＦ−ＩＤメディアは、前記第１の係合手段と前記第２の係合手段とが係合した状態にて前記読出手段によって情報が読み出し可能な領域に設けられていることを特徴とする。
【００１６】
また、前記施錠装置を用いた施錠管理システムであって、
前記施錠装置は、前記読出手段にて前記ＲＦ−ＩＤメディアから読み出された情報及び前記第１の係合手段と前記第２の係合手段とが係合した旨をネットワークに送信する送信手段を有し、
前記ネットワークを介して前記施錠装置と接続され、前記送信手段から送信されてきた情報に基づいて前記施錠装置による前記開閉建具の施錠を管理する管理手段を有する。
【００１７】
上記のように構成された本発明においては、第１の部材と第２の部材とによって開口部が閉められた状態で第１の係合手段と第２の係合手段とが係合すると、第１の部材に取り付けられた読出手段と、第２の部材に取り付けられたＲＦ−ＩＤメディアとの位置関係が、読出手段によってＲＦ−ＩＤメディアから情報が読み出し可能な位置関係となり、読出手段においてＲＦ−ＩＤメディアから情報が読み出され、判断手段にて開閉建具が施錠されたことが判断される。
【発明の効果】
【００１８】
以上説明したように本発明においては、第１の部材と第２の部材とによって開口部が閉められた状態で第１の係合手段と第２の係合手段とが係合した場合に、読出手段においてＲＦ−ＩＤメディアから情報が読み出され、判断手段にて開閉建具が施錠されたことが判断される構成としたため、開口部が閉められた状態で施錠されたことを確認することができる。
【００１９】
また、ＲＦ−ＩＤメディアが、第１の係合手段と第２の係合手段とが係合した状態にて読出手段によって情報が読み出し可能な領域に設けられているものにおいては、読出手段にてＲＦ−ＩＤメディアから情報が読み出されることのみによって、開口部が閉められた状態であること及び施錠された状態であることを確認することができる。
【発明を実施するための最良の形態】
【００２０】
以下に、本発明の実施の形態について図面を参照して説明する。
【００２１】
（第１の実施の形態）
図１は、本発明の施錠装置の第１の実施の形態を示す図であり、（ａ）は外観斜視図、（ｂ）は（ａ）に示したハンドル部１１の内部に設けられた制御基板２０の構成を示す図である。
【００２２】
本形態は図１に示すように、建造物の開口部に、レール（不図示）によって開口部内にて移動可能に取り付けられた第１の部材である窓部材１及び第２の部材である窓部材２からなり、窓部材１，２をレール上にて移動させることによって窓部材１，２の相対位置を変位させ、それにより、開口部を開閉可能とした開閉建具に装着され、この開閉建具を施錠するものであって、窓部材１に取り付けられた第１の係合手段である係合片１２、ハンドル部１１及び固定部１３と、窓部材２に取り付けられた第２の係合手段であるフック部１４とからなるクレセント錠１０である。クレセント錠１０は、窓部材１に固定部１３が取り付けられ、この固定部１３によってハンドル部１１及び半円弧状の係合片１２が回転可能に取り付けられている。また、フック部１４は、窓部材１，２によって開口部が閉められた場合に係合片１２と対向する領域に取り付けられており、窓部材１，２によって開口部が閉められた状態でハンドル部１１及び係合片１２が施錠方向に回転した場合に係合片１２と係合する。また、窓部材２には、窓部材１，２によって開口部が閉められ、クレセント錠１０によって窓部材１，２の施錠操作が行われた状態において、ハンドル部１１に対向する領域に非接触状態で情報の読み出しが可能なＲＦ−ＩＤラベル３０が貼付されている。また、ハンドル部１１内には、ＲＦ−ＩＤラベル３０から情報を読み出すための制御基板２０が内蔵されており、この制御基板２０には、窓部材１，２によって開口部が閉められた状態で施錠操作が行われた場合にＲＦ−ＩＤラベル３０と対向する領域に配置された読出手段であるアンテナ２１と、アンテナ２１を介してＲＦ−ＩＤラベル３０から情報を読み出す情報読出部２２と、情報読出部２２にてＲＦ−ＩＤラベル３０から読み出された情報を送信する情報送信部２３と、情報読出部２２における情報の読み出し動作及び情報送信部２３における情報の送信動作を制御するとともに、情報読出部２２にてＲＦ−ＩＤラベル３０から情報が読み出された場合に、窓部材１，２が施錠されたことを判断する判断手段である制御部２４とが設けられている。なお、制御基板２０への電源供給は、開閉建具の外部から開口部のレール及び窓部材１のサッシ部を介して供給することや、制御基板２０自体に小型の電池を内蔵することや、窓部材１に太陽電池を内蔵し、この太陽電池から供給すること等、実現可能な公知のいかなる技術を採用することが考えられる。また、ＲＦ−ＩＤメディアとしてＲＦ−ＩＤラベル３０を窓部材２に貼付するのではなく、フィルムケース等によって窓部材２に挿入部を設けておき、そこにＲＦ−ＩＤタグを収納することも考えられる。
【００２３】
以下に、上記のように構成されたクレセント錠１０による施錠検出方法について説明する。
【００２４】
図２は、図１に示した開閉建具におけるクレセント錠１０による施錠検出方法を説明するための図であり、（ａ）はクレセント錠１０によって窓部材１，２が施錠されていない状態を示す図、（ｂ）はクレセント錠１０によって窓部材１，２が施錠された状態を示す図である。
【００２５】
クレセント錠１０によって窓部材１，２が施錠されていない状態においては、図２（ａ）に示すように、係合片１２とフック部１４とが係合しておらず、窓部材１，２がレール上を移動可能な状態となっている。また、ハンドル部１１に内蔵されたアンテナ２１は、窓部材２に貼付されたＲＦ−ＩＤラベル３０と対向しておらず、そのため、ＲＦ−ＩＤラベル３０からアンテナ２１を介して情報読出部２２にて情報が読み出されることはない。
【００２６】
また、クレセント錠１０によって窓部材１，２を施錠するためにハンドル部１１を回転させていくと、図２（ｂ）に示すように、係合片１２が窓部材２側に突出して回転していき、フック部１４と係合し、窓部材１，２が施錠されることになる。また、その際、ハンドル部１１に内蔵されたアンテナ２１が、窓部材２に貼付されたＲＦ−ＩＤラベル３０と対向し、それにより、ＲＦ−ＩＤラベル３０からアンテナ２１を介して情報読出部２２にて情報が読み出されることになる。情報読出部２２にてＲＦ−ＩＤラベル３０から情報が読み出されると、制御部２４において、窓部材１，２が施錠されたと判断され、情報読出部２２にて読み出された情報が情報送信部２３によって管理手段（不図示）に送信され、管理手段において、窓部材１，２が施錠されたことが管理されることになる。
【００２７】
ここで、上述したようなクレセント錠１０においては、窓部材１，２によって開口部が完全に閉められていない状態にてハンドル部１１が施錠方向に操作された場合、ハンドル部１１が施錠時と同一の状態であるにも関わらず窓部材１，２が施錠されないことになる。その場合の施錠検出方法について以下に説明する。
【００２８】
図３は、図１に示した開閉建具において窓部材１，２による開口部の開閉状態に応じたクレセント錠１０による施錠検出方法を説明するための図であり、（ａ）は開口部が閉められた状態にてクレセント錠１０によって施錠操作が行われた状態を示す図、（ｂ）は開口部が完全に閉められていない状態にてクレセント錠１０によって施錠操作が行われた状態を示す図である。
【００２９】
窓部材１，２によって開口部が閉められた状態にてクレセント錠１０によって施錠操作が行われた場合は、図３（ａ）に示すように、係合片１２とフック部１４とが係合し、窓部材１，２が施錠されることになる。また、その際、ハンドル部１１に内蔵されたアンテナ２１が、窓部材２に貼付されたＲＦ−ＩＤラベル３０と対向し、それにより、ＲＦ−ＩＤラベル３０からアンテナ２１を介して情報読出部２２にて情報が読み出されることになる。
【００３０】
一方、窓部材１，２によって開口部が完全に閉められていない状態にてクレセント錠１０によって施錠操作が行われた場合は、図３（ｂ）に示すように、係合片１２が窓部材２側に突出しているもののフック部１４と係合しておらず、そのため、窓部材１，２がレール上を移動可能な状態となっている。また、ハンドル部１１に内蔵されたアンテナ２１は、窓部材２に貼付されたＲＦ−ＩＤラベル３０と対向しておらず、そのため、ＲＦ−ＩＤラベル３０からアンテナ２１を介して情報読出部２２にて情報が読み出されることはない。
【００３１】
このように、本形態においては、窓部材１，２によって開口部が完全に閉められた状態でハンドル部１１が施錠方向に回転して施錠操作が行われた場合のみ、ＲＦ−ＩＤラベル３０からアンテナ２１を介して情報読出部２２にて情報が読み出されるので、開口部が閉められた状態で施錠されたことを確認することができる。なお、制御基板２０に設けられたアンテナ２１の大きさについては、上述したように、窓部材１，２によって開口部が完全に閉められた状態でハンドル部１１が施錠方向に回転して施錠操作が行われ、ＲＦ−ＩＤラベル３０とアンテナ２１とが対向した場合のみＲＦ−ＩＤラベル３０からアンテナ２１を介して情報読出部２２にて情報が読み出されるように、ＲＦ−ＩＤラベル３０内のＩＣチップ（不図示）の特性に応じて設定しておく必要がある。
【００３２】
なお、本形態においては、窓部材１，２によって開口部が閉められ、クレセント錠１０によって窓部材１，２の施錠操作が行われた状態においてアンテナ２１に対向する領域にＲＦ−ＩＤラベル３０が貼付されているが、本発明はこれに限らず、窓部材１，２によって開口部が閉められ、クレセント錠１０によって窓部材１，２の施錠操作が行われた状態において、アンテナ２１によってＲＦ−ＩＤラベル３０から情報が読み出し可能な領域にＲＦ−ＩＤラベル３０が貼付されていればよい。
【００３３】
図４は、図１に示した開閉建具における施錠状態を管理する施錠管理システムの一例を示す図である。
【００３４】
図４に示すように、本例においては、図１に示した構成を有する複数の開閉建具３−１〜３−ｎが無線ＬＡＮ及びルータ４を介して管理手段である管理ＰＣ５に接続されている。開閉建具３−１〜３−ｎのそれぞれにおいては、情報読出部２２にてアンテナ２１を介してＲＦ−ＩＤラベル３０から情報が読み出された場合、読み出した情報が情報送信部２３から送信される。情報送信部２３から送信された情報は無線ＬＡＮ及びルータ４を介して管理ＰＣ５に送信され、管理ＰＣ５にて開閉建具３−１〜３−ｎの施錠状態が管理されることになる。そのため、例えば、開閉建具３−１〜３−ｎのそれぞれの窓部材２に貼付されるＲＦ−ＩＤラベル３０のシリアル番号と、そのＲＦ−ＩＤラベル３０が貼付された開閉建具３−１〜３−ｎとを管理ＰＣ５にて予め対応づけて管理しておくことが考えられ、管理ＰＣ５においては、ＲＦ−ＩＤラベル３０から読み出された情報が無線ＬＡＮ及びルータ４を介して送信されてきた場合にその情報に対応づけられた開閉建具３−１〜３−ｎが施錠されたことを管理することになる。
【００３５】
なお、無線ＬＡＮではなく、配線によって開閉建具３−１〜３−ｎと管理ＰＣ５とを接続することも考えられる。その場合、ハンドル部１１内にアンテナ２１のみを設けておき、その他の情報読出部２２、情報送信部２３及び制御部２４を配線を介して開閉建具３−１〜３−ｎの外部に設けることも考えられる。
【００３６】
また、図４に示したように、複数の開閉建具３−１〜３−ｎを無線ＬＡＮ及びルータ４を介して管理ＰＣ５に接続し、管理ＰＣ５にて開閉建具３−１〜３−ｎの施錠状態を管理するのではなく、開閉建具３−１〜３−ｎのそれぞれに施錠状態を出力する機能を付与しておくことも考えられる。例えば、図１に示した窓部材１，２あるいはハンドル部１１内にＬＥＤを内蔵しておき、ハンドル部１１が施錠方向に回転したにも関わらず、ＲＦ−ＩＤラベル３０からアンテナ２１を介して情報が読み出されなかった場合にＬＥＤを点灯させること等が考えられる。また、その場合に、施錠されていない旨を音声によって通知することも考えられる。
【００３７】
（第２の実施の形態）
図５は、本発明の施錠装置の第２の実施の形態を示す図であり、（ａ）は外観斜視図、（ｂ）は（ａ）に示したかんぬき部１１２の内部に設けられた制御基板１２０の構成を示す図である。
【００３８】
本形態は図５に示すように、建造物の開口部に取り付けられた第２の部材である扉枠１０２と、蝶番（不図示）によって扉枠１０２に開閉自在に設けられた第１の部材である扉１０１とからなり、扉１０１が蝶番によって開閉することによって扉枠１０２と扉１０１との相対位置を変位させ、それにより、開口部を開閉可能とした開閉建具に装着され、この開閉建具を施錠するものであって、固定部１１３によって扉１０１にスライド可能に取り付けられ、扉１０１を施錠するための第１の係合手段であるかんぬき部１１２と、扉枠１０２に取り付けられ、かんぬき部１１２によって扉１０１を施錠する場合にかんぬき部１１２が挿入される第２の係合手段である被挿入部材１１４とから構成されている。また、扉枠１０２には、扉１０１が閉められ、かんぬき部１１２が被挿入部材１１４に挿入されて扉１０１の施錠操作が行われた状態において、かんぬき部１１２に対向する領域に非接触状態で情報の読み出しが可能なＲＦ−ＩＤラベル１３０が貼付されている。また、かんぬき部１１２内には、ＲＦ−ＩＤラベル１３０から情報を読み出すための制御基板１２０が内蔵されており、この制御基板１２０には、扉１０１が閉められた状態で施錠操作が行われた場合にＲＦ−ＩＤラベル１３０と対向する領域に配置された読出手段であるアンテナ１２１と、アンテナ１２１を介してＲＦ−ＩＤラベル１３０から情報を読み出す情報読出部１２２と、情報読出部１２２にてＲＦ−ＩＤラベル１３０から読み出された情報を送信する情報送信部１２３と、情報読出部１２２における情報の読み出し動作及び情報送信部１２３における情報の送信動作を制御するとともに、情報読出部１２２にてＲＦ−ＩＤラベル１３０から情報が読み出された場合に、扉１０１が施錠されたことを判断する判断手段である制御部１２４とが設けられている。なお、制御基板１２０への電源供給は、開閉建具の外部から蝶番及び扉１０１を介して供給することや、制御基板１２０自体に小型の電池を内蔵すること等、実現可能な公知のいかなる技術を採用することが考えられる。また、ＲＦ−ＩＤメディアとしてＲＦ−ＩＤラベル１３０を扉枠１０２に貼付するのではなく、フィルムケース等によって扉枠１０２に挿入部を設けておき、そこにＲＦ−ＩＤタグを収納することも考えられる。
【００３９】
以下に、上記のように構成された扉１０１の施錠検出方法について説明する。
【００４０】
図６は、図５に示した開閉建具における扉１０１の施錠検出方法を説明するための図であり、（ａ）は扉１０１が閉められて施錠されていない状態を示す図、（ｂ）は扉１０１が閉められて施錠された状態を示す図、（ｃ）は扉１０１が完全に閉められていない状態で施錠操作が行われた状態を示す図である。
【００４１】
扉１０１が閉められて施錠されていない状態においては、図６（ａ）に示すように、かんぬき部１１２が被挿入部材１１４に挿入されておらず、扉１０１が開閉可能な状態となっている。また、かんぬき部１１２に内蔵されたアンテナ１２１は、扉枠１０２に貼付されたＲＦ−ＩＤラベル１３０と対向しておらず、そのため、ＲＦ−ＩＤラベル１３０からアンテナ１２１を介して情報読出部１２２にて情報が読み出されることはない。
【００４２】
また、扉１０１が閉められた状態にてかんぬき部１１２を固定部１１３内にてスライドさせていくと、図６（ｂ）に示すように、かんぬき部１１２が扉枠１０２側に突出していき、被挿入部材１１４に挿入され、扉１０１が施錠されることになる。また、その際、かんぬき部１１２に内蔵されたアンテナ１２１が、扉枠１０２に貼付されたＲＦ−ＩＤラベル１３０と対向し、それにより、ＲＦ−ＩＤラベル１３０からアンテナ１２１を介して情報読出部１２２にて情報が読み出されることになる。情報読出部１２２にてＲＦ−ＩＤラベル１３０から情報が読み出されると、制御部１２４において、扉部１０１が施錠されたと判断され、情報読出部１２２にて読み出された情報が情報送信部１２３によって管理手段（不図示）に送信され、管理手段において、扉１０１が施錠されたことが管理されることになる。
【００４３】
また、扉１０１が完全に閉められていない状態にてかんぬき部１１２を固定部１１３内にてスライドさせた場合、図６（ｃ）に示すように、かんぬき部１１２は被挿入部材１１４に挿入されず、扉１０１が開閉可能な状態となっている。この際、かんぬき部１１２に内蔵されたアンテナ１２１は、扉枠１０２に貼付されたＲＦ−ＩＤラベル１３０と対向しておらず、そのため、ＲＦ−ＩＤラベル１３０からアンテナ１２１を介して情報読出部１２２にて情報が読み出されることはない。
【００４４】
このように、本形態においては、扉１０１が完全に閉められた状態でかんぬき部１１２が施錠方向にスライドして施錠操作が行われた場合のみ、ＲＦ−ＩＤラベル１３０からアンテナ１２１を介して情報読出部１２２にて情報が読み出されるので、開口部が閉められた状態で施錠されたことを確認することができる。なお、制御基板１２０に設けられたアンテナ１２１の大きさについては、上述したように、扉１０１が完全に閉められた状態でかんぬき部１１２が施錠方向にスライドして施錠操作が行われ、ＲＦ−ＩＤラベル１３０とアンテナ１２１とが対向した場合のみＲＦ−ＩＤラベル１３０からアンテナ１２１を介して情報読出部１２２にて情報が読み出されるように、ＲＦ−ＩＤラベル１３０内のＩＣチップ（不図示）の特性に応じて設定しておく必要がある。
【００４５】
なお、本形態においては、扉１０１が閉められ、かんぬき部１１２が被挿入部材１１４に挿入されて扉１０１の施錠操作が行われた状態においてアンテナ１２１に対向する領域にＲＦ−ＩＤラベル１３０が貼付されているが、本発明はこれに限らず、扉１０１が閉められ、かんぬき部１１２が被挿入部材１１４に挿入されて扉１０１の施錠操作が行われた状態において、アンテナ１２１によってＲＦ−ＩＤラベル１３０から情報が読み出し可能な領域にＲＦ−ＩＤラベル１３０が貼付されていればよい。
【００４６】
（第３の実施の形態）
図７は、本発明の施錠装置の第３の実施の形態を示す図であり、（ａ）は外観斜視図、（ｂ）は（ａ）に示した鍵部２１０の内部構成を示す図である。
【００４７】
本形態は図７に示すように、建造物の開口部に、レール（不図示）によって開口部内にて移動可能に取り付けられた第１の部材である窓部材２０１及び第２の部材である窓部材２０２からなり、窓部材２０１，２０２をレール上にて移動させることによって窓部材２０１，２０２の相対位置を変位させ、それにより、開口部を開閉可能とした開閉建具に装着され、この開閉建具を施錠するものであって、窓部材２０１に取り付けられ、窓部材２０１，２０２を施錠するための第１の係合手段である鍵部２１０と、窓部材２０２に取り付けられた第２の係合部材であるフック部２１４と、窓部材２０２のうち、窓部材２０１，２０２によって開口部が閉められた状態において鍵部２１０に対向する領域に貼付され、非接触状態で情報の読み出しが可能なＲＦ−ＩＤラベル２３０とから構成されている。また、鍵部２１０には、フック部２１４と係合することにより窓部材２０１，２０２を施錠する係合片２１２と、係合片２１２を施錠方向に突出させる際に押下される施錠ボタン２１１と、ＲＦ−ＩＤラベル２３０から情報を読み出すための制御基板２２０が内蔵されており、この制御基板２２０には、窓部材２０１，２０２によって開口部が閉められた場合にＲＦ−ＩＤラベル２３０と対向する領域に配置された読出手段であるアンテナ２２１と、アンテナ２２１を介してＲＦ−ＩＤラベル２３０から情報を読み出す情報読出部２２２と、情報読出部２２２にてＲＦ−ＩＤラベル２３０から読み出された情報を送信する情報送信部２２３と、情報読出部２２２における情報の読み出し動作及び情報送信部２２３における情報の送信動作を制御するとともに、情報読出部２２２にてＲＦ−ＩＤラベル２３０から情報が読み出され、かつ、施錠ボタン２１１が押下された場合に、窓部材２０１，２０２が施錠されたことを判断する判断手段である制御部２２４とが設けられている。なお、制御基板２２０への電源供給は、開閉建具の外部から開口部のレール及び窓部材２０１のサッシ部を介して供給することや、制御基板２２０自体に小型の電池を内蔵することや、窓部材２０１に太陽電池を内蔵し、この太陽電池から供給すること等、実現可能な公知のいかなる技術を採用することが考えられる。また、ＲＦ−ＩＤメディアとしてＲＦ−ＩＤラベル２３０を窓部材２０２に貼付するのではなく、フィルムケース等によって窓部材２０２に挿入部を設けておき、そこにＲＦ−ＩＤタグを収納することも考えられる。
【００４８】
以下に、上記のように構成された開閉建具における施錠検出方法について説明する。
【００４９】
図８は、図７に示した開閉建具における施錠検出方法を説明するための図であり、（ａ）は窓部材２０１，２０２によって開口部が閉められた状態で施錠操作が行われていない状態を示す図、（ｂ）は窓部材２０１，２０２によって開口部が閉められた状態で施錠操作が行われた状態を示す図、（ｃ）は窓部材２０１，２０２によって開口部が完全に閉められていない状態で施錠操作が行われた状態を示す図である。
【００５０】
窓部材２０１，２０２によって開口部が閉められて鍵部２１０の施錠ボタン２１１が押下されていない状態においては、図８（ａ）に示すように、係合片２１２が施錠方向に突出していない状態であって、それにより、係合片２１２とフック部２１４とが係合しておらず、窓部材２０１，２０２がレール上を移動可能な状態となっている。また、鍵部２１０に内蔵されたアンテナ２２１は、窓部材２０２に貼付されたＲＦ−ＩＤラベル２３０と対向しており、それにより、ＲＦ−ＩＤラベル２３０からアンテナ２２１を介して情報読出部２２２にて情報が読み出されている。
【００５１】
また、窓部材２０１，２０２によって開口部が閉められた状態で鍵部２１０の施錠ボタン２１１が押下されると、図８（ｂ）に示すように、係合片２１２が施錠方向に突出し、それにより、係合片２１２とフック部２１４とが係合し、窓部材２０１，２０２が施錠されることになる。また、その際、鍵部２１０に内蔵されたアンテナ２２１は、窓部材２０２に貼付されたＲＦ−ＩＤラベル２３０と対向しており、それにより、ＲＦ−ＩＤラベル２３０からアンテナ２２１を介して情報読出部２２２にて情報が読み出されている。制御部２２４においては、施錠ボタン２１１が押下された状態でＲＦ−ＩＤラベル２３０からアンテナ２２１を介して情報読出部２２２にて情報が読み出されると、制御部２２４において、窓部材２０１，２０２が施錠されたと判断され、情報読出部２２にて読み出された情報が情報送信部２３によって管理手段（不図示）に送信されることになり、管理手段において、窓部材２０１，２０２が施錠されたことが管理されることになる。
【００５２】
また、窓部材２０１，２０２によって開口部が完全に閉められていない状態にて鍵部２１０の施錠ボタン２１１が押下されると、図８（ｃ）に示すように、係合片２１２が施錠方向に突出するものの、係合片２１２とフック部２１４とが係合しておらず、窓部材２０１，２０２がレール上を移動可能な状態となっている。この際、鍵部２１０に内蔵されたアンテナ２２１は、窓部材２０２に貼付されたＲＦ−ＩＤラベル２３０と対向しておらず、そのため、ＲＦ−ＩＤラベル２３０からアンテナ２２１を介して情報読出部２２２にて情報が読み出されることはない。
【００５３】
このように、本形態においては、窓部材２０１，２０２によって開口部が完全に閉められた場合のみ、ＲＦ−ＩＤラベル２３０からアンテナ２２１を介して情報読出部２２２にて情報が読み出され、また、その状態にて施錠ボタン２１１が押下された場合のみ、ＲＦ−ＩＤラベル２３０からアンテナ２２１を介して情報読出部２２２にて読み出された情報が管理手段に送信されるので、開口部が閉められた状態で施錠されたことを確認することができる。なお、制御基板２２０に設けられたアンテナ２２１の大きさについては、上述したように、窓部材２０１，２０２によって開口部が完全に閉められ、ＲＦ−ＩＤラベル２３０とアンテナ２２１とが対向した場合のみＲＦ−ＩＤラベル２３０からアンテナ２２１を介して情報読出部２２２にて情報が読み出されるように、ＲＦ−ＩＤラベル２３０内のＩＣチップ（不図示）の特性に応じて設定しておく必要がある。
【００５４】
なお、本形態においては、施錠ボタン２１１が押下された状態でＲＦ−ＩＤラベル２３０からアンテナ２２１を介して情報読出部２２２にて情報が読み出された場合のみ、ＲＦ−ＩＤラベル２３０からアンテナ２２１を介して情報読出部２２２にて読み出された情報が管理手段に送信される構成としたが、ＲＦ−ＩＤラベル２３０からアンテナ２２１を介して情報読出部２２２にて情報が読み出された場合に読み出された情報が管理手段に送信され、また、施錠ボタン２１１が押下された場合にその旨が管理手段に通知される構成とし、管理手段において、施錠ボタン２１１が押下されたことが通知された場合に、開閉建具から送信されてきた情報を用いて開閉建具が施錠されたことを管理することも考えられる。
【００５５】
また、本形態においては、窓部材２０１，２０２によって開口部が閉められた状態においてアンテナ２２１に対向する領域にＲＦ−ＩＤラベル２３０が貼付されているが、本発明はこれに限らず、窓部材２０１，２０２によって開口部が閉められた状態において、アンテナ部２２１によってＲＦ−ＩＤラベル２３０から情報が読み出し可能な領域にＲＦ−ＩＤラベル２３０が貼付されていればよい。
【００５６】
また、上述した第２及び第３の実施の形態にて示した開閉建具についても、図４に示したような施錠管理システムに適用することができる。
【図面の簡単な説明】
【００５７】
【図１】本発明の施錠装置の第１の実施の形態を示す図であり、（ａ）は外観斜視図、（ｂ）は（ａ）に示したハンドル部の内部に設けられた制御基板の構成を示す図である。
【図２】図１に示した開閉建具におけるクレセント錠による施錠検出方法を説明するための図であり、（ａ）はクレセント錠によって窓部材が施錠されていない状態を示す図、（ｂ）はクレセント錠によって窓部材が施錠された状態を示す図である。
【図３】図１に示した開閉建具において窓部材による開口部の開閉状態に応じたクレセント錠による施錠検出方法を説明するための図であり、（ａ）は開口部が閉められた状態にてクレセント錠によって施錠操作が行われた状態を示す図、（ｂ）は開口部が完全に閉められていない状態にてクレセント錠によって施錠操作が行われた状態を示す図である。
【図４】図１に示した開閉建具における施錠状態を管理する施錠管理システムの一例を示す図である。
【図５】本発明の施錠装置の第２の実施の形態を示す図であり、（ａ）は外観斜視図、（ｂ）は（ａ）に示したかんぬき部の内部に設けられた制御基板の構成を示す図である。
【図６】図５に示した開閉建具における扉の施錠検出方法を説明するための図であり、（ａ）は扉が閉められて施錠されていない状態を示す図、（ｂ）は扉が閉められて施錠された状態を示す図、（ｃ）は扉が完全に閉められていない状態で施錠操作が行われた状態を示す図である。
【図７】本発明の施錠装置の第３の実施の形態を示す図であり、（ａ）は外観斜視図、（ｂ）は（ａ）に示した鍵部の内部構成を示す図である。
【図８】図７に示した開閉建具における施錠検出方法を説明するための図であり、（ａ）は窓部材によって開口部が閉められた状態で施錠操作が行われていない状態を示す図、（ｂ）は窓部材によって開口部が閉められた状態で施錠操作が行われた状態を示す図、（ｃ）は窓部材によって開口部が完全に閉められていない状態で施錠操作が行われた状態を示す図である。
【図９】一般的なクレセント錠の構成を説明するための外観斜視図である。
【図１０】図９に示したクレセント錠を用いた施錠状態を示す図であり、（ａ）は窓部材によって開口部が完全に閉められた状態でクレセント錠が操作された状態を示す図、（ｂ）は窓部材によって開口部が完全に閉められていない状態でクレセント錠が操作された状態を示す図である。
【符号の説明】
【００５８】
１，２，２０１，２０２    窓部材
３−１〜３−ｎ    開閉建具
４    ルータ
５    管理ＰＣ
１０    クレセント錠
１１    ハンドル部
１２，２１２    係合片
１３，１１３，２１３    固定部
１４，２１４    フック部
２０，１２０，２２０    制御基板
２１，１２１，２２１    アンテナ
２２，１２２，２２２    情報読出部
２３，１２３，２２３    情報送信部
２４，１２４，２２４    制御部
３０，１３０，２３０    ＲＦ−ＩＤラベル
１０１    扉
１０２    扉枠
１０６    蝶番
１１２    かんぬき部
１１４    被挿入部材
２１０    鍵部
２１１    施錠ボタン
【図１】
2006077500.tif 000003
【図２】
2006077500.tif 000004
【図３】
2006077500.tif 000005
【図４】
2006077500.tif 000006
【図５】
2006077500.tif 000007
【図６】
2006077500.tif 000008
【図７】
2006077500.tif 000009
【図８】
2006077500.tif 000010
【図９】
2006077500.tif 000011
【図１０】
2006077500.tif 000012